(57)【特許請求の範囲】
【請求項１】
入力信号の入力を受ける入力端子と、ゲート信号を出力するゲート出力端子と、ソース信号を出力するソース出力端子とを備えている駆動モジュールであって、
上記入力端子を介して入力された上記入力信号から、上記ゲート信号を生成するゲート駆動回路と、
上記ソース信号を生成するソース駆動回路と、
上記ゲート駆動回路と上記ゲート出力端子とを接続するゲート配線と、
上記ソース駆動回路と上記ソース出力端子とを接続するソース配線と、
を備えており、
上記ゲート出力端子および上記ソース出力端子は、上記駆動モジュールの１辺側にのみ形成されており、
上記ソース駆動回路は、
方形状であり、
当該ソース駆動回路の３辺において、上記ソース配線によって上記ソース出力端子と接続されており、
上記ゲート駆動回路は、当該ソース駆動回路および上記３辺をそれぞれ通過する上記ゲート配線を介して、上記ゲート出力端子と接続されており、
上記ゲート配線および上記ソース配線は、混合されて、当該ソース駆動回路からファンアウトされている、
ことを特徴とする駆動モジュール。
【請求項２】
複数の上記ゲート出力端子および複数の上記ソース出力端子を備えており、
上記ソース出力端子は、上記ゲート出力端子ｍ個につきｎ個存在するように形成されており、
上記ｍおよび上記ｎは、整数であることを特徴とする請求項１に記載の駆動モジュール。
【請求項３】
上記ｍと上記ｎとの比は、１：３または１：６であることを特徴とする請求項２に記載の駆動モジュール。
【請求項４】
上記ゲート駆動回路は、上記ソース駆動回路よりも上記入力端子の近くに配置されていることを特徴とする請求項１〜３のいずれか１項に記載の駆動モジュール。
【請求項５】
請求項１〜４のいずれか１項に記載の駆動モジュールと、
複数の互いに平行に配された、ゲート制御線および上記ゲート制御線と直交するソース制御線を備えている表示パネルであって、上記ゲート制御線から分岐しているゲート制御分岐線と、上記ソース制御線と接続されているソース制御端子と、上記ゲート制御分岐線と接続されているゲート制御端子とを備えており、方形状であり、上記ゲート制御端子および上記ソース制御端子は、１辺側にのみ形成されている表示パネルと、
を備えており、
上記ゲート出力端子および上記ゲート制御端子が接続されており、
上記ソース出力端子および上記ソース制御端子が接続されていることを特徴とする表示装置。
【請求項６】
上記駆動モジュールを複数個備えており、
上記表示パネルの１辺側にのみ、当該複数の駆動モジュールが配されていることを特徴とする請求項５に記載の表示装置。
【請求項７】
請求項５または６に記載の表示装置を複数個備えており、
各表示装置は、上記ゲート制御端子および上記ソース制御端子が形成されていない辺のうち少なくとも１辺において互いに接合されていることを特徴とするマルチディスプレイ装置。
【発明の詳細な説明】
【技術分野】
【０００１】
本発明は、複数個を互いに接合してマルチディスプレイ装置として利用する表示装置に関しており、特に、接合部分（非表示領域）を小さくするための技術に関する。
【背景技術】
【０００２】
近年、液晶パネル等を利用したフラットパネルディスプレイは、大型化が進められている。特に、デジタルサイネージ分野などで利用されるマルチディスプレイ装置では、大きな表示領域を有している大型の表示装置を複数個互いに接合し、さらに大型の表示領域を形成することが行われている。【０００３】
このようなマルチディスプレイ装置では、複数個の表示装置を平面的に隣接させ縦横に接合することで１つの大型表示装置を容易に構築することができる反面、各表示装置間の接合部分には、ベゼルとも称される額縁が形成されるため、画像を表示することができない領域（以下、「非表示領域」と称する）が形成されることになる。この非表示領域により、マルチディスプレイ装置の表示は、格子状の線が入ったように見えてしまい、表示される画像の品位が低下してしまうといった問題がある。【０００４】
特許文献１には、映像表示部と映像表示部の外周に設けられた非表示部を有する平面型ディスプレイにおいて、表示部分および、表示部と隣接した外周部の非表示部分の面上に、当該表示部を非表示部上に拡大する光学要素を備え非表示部の範囲を狭くする構成が開示されている。【０００５】
つまり、当該技術は、映像表示部の周縁部からの発光を、その周縁部を覆うシリンドリカルレンズによって屈折させることで非表示部側へ導き、非表示部を見えないようにしているものである。【０００６】
図２０は、従来技術に係る、一般的な液晶表示装置の表示パネル１０１１の構成を示す図であり、（ａ）は全体の構成を示し、（ｂ）は画素の構成を示す図である。図２０の（ａ）に示すように、表示パネル１０１１は、主に、表示部１１１１と、ソース制御端子１１１２と、ゲート制御端子１１１３とを備えている。また、図２０の（ｂ）に示すように、表示部１１１１を構成する画素Ｅは、ＴＦＴからなるスイッチング素子Ｓおよび液晶容量Ｃｌｃが備えており、スイッチング素子Ｓのゲートに接続されているゲート制御線から供給されるゲート信号によりオン／オフを制御して、スイッチング素子Ｓのソースに接続されているソース制御線から供給されるソース信号を、スイッチング素子Ｓのドレインに接続されている液晶容量Ｃｌｃに充電することにより表示制御を行う。【０００７】
通常、表示装置の場合には、ソース制御端子１１１２は表示パネル１０１１の長辺側に、ゲート制御端子１１１３は表示パネル１０１１の短辺側に配置される。【０００８】
図２１は、従来技術に係る、駆動モジュール１０１２の構成を示す図であり、（ａ）は上面図、（ｂ）は断面図である。【０００９】
図２１の（ａ）に示すように、駆動モジュール１０１２は、入力端子Ｔｉｎおよび出力端子Ｔｏｕｔを端部に備えており、ソース駆動回路またはゲート駆動回路である駆動回路Ｄｒを中央部に備えている。【００１０】
また、図２１の（ｂ）に示すように、駆動モジュール１０１２は、基材１２１と、配線１２２と、ソルダーレジスト１２３とが積層されて構成されており、樹脂１２４により、駆動回路Ｄｒが固定されている。【００１１】
図２２は、従来技術に係る、駆動モジュール１０１２の駆動回路Ｄｒに接続される配線の構成を示す図である。図２２に示すように、入力端子Ｔｉｎから、入力線Ｌｉｎが引き出されており、主に駆動回路Ｄｒの他の３辺から、出力線Ｌｏｕｔが引き出されて、出力端子Ｔｏｕｔに伸びている。【００１２】
上述のような駆動モジュール１０１２が、図２０に示す表示パネル１０１１のソース制御端子１１１２およびゲート制御端子１１１３に接続されるため、当該接続がなされた表示パネル１０１１の端部は大きくなってしまう。また、このような端部は、非表示領域となる。【００１３】
よって、マルチディスプレイ装置の一部として表示装置を利用する場合には、非表示領域となる表示装置の端部をできるだけ小さくする必要がある。【００１４】
図２３は、特許文献２に記載の構成を示す図である。図２３に示すように、特許文献２に開示されている表示パネル（液晶パネル）２００１は、互いに交差してその交差部分でマトリクス状の画素部を形成する複数のデータ線電極および複数の走査線電極を有している。また、表示パネル２００１のガラス基板２００１ａにおける１辺側の端縁部に、実装パッケージ２０２１が接続されている。また、実装パッケージ２０２１における絶縁性のフィルム基材２０２２上に、表示パネル２００１に近い側から順に、データ線電極を駆動するＬＳＩチップ２０２４と、走査線電極を駆動するＬＳＩチップ２０２３とを実装する。また、接続端子群２０２７とＬＳＩチップ２０２４とを接続する複数の配線からなる配線部２０２８ｂを、フィルム基材２０２２上のＬＳＩチップ２０２３の下方（実装領域）を通過するようにフィルム基材２０２２に固定して配置している。【００１５】
つまり、特許文献２の構成では、マルチディスプレイ装置に用いた場合に非表示領域を小さくするために、ゲート駆動回路をフレキシブルなパッケージでパネルに実装して裏面に折り曲げたり、ゲート駆動回路の出力信号を引きまわして、パネルの１辺にソース駆動回路とゲート駆動回路を実装する構成であると言える。
【先行技術文献】
【特許文献】
【００１６】
【特許文献１】日本国公開特許公報「特開２００９−１６２９９９号（２００９年７月２３日公開）」
【特許文献２】日本国公開特許公報「特開２００２−２４４５８０号（２００２年８月３０日公開）」
【発明の概要】
【発明が解決しようとする課題】
【００１７】
しかしながら、上述のような従来技術には、以下のような問題がある。【００１８】
まず、特許文献１に開示されている構成では、非表示領域をなくすことができない。【００１９】
これは、当該文献の表示パネルの異なる２辺から、ソース信号およびゲート信号を入力しているためである。この構成により、当該文献の表示装置では、ゲート信号を生成するゲート駆動回路を、ゲート信号が入力される辺の側に実装し、当該辺にゲート駆動回路接続用のゲート制御端子を設けて、ゲート駆動回路を接続する必要がある。【００２０】
図２４は、従来技術に係る、表示装置３００１の構成を示す図である。図２４に示すように、表示パネル３０１１の１辺には、ソース駆動モジュール３０１２が接続されている。また、表示パネル３０１１の他の１辺には、ゲート駆動モジュール３０１３が接続されている。なお、ソース駆動モジュール３０１２の、表示パネル３０１１が接続されていない側の端部には、入力信号生成部１３が接続されている。【００２１】
図２５は、従来技術に係る、表示パネル３０１１が備えている表示部３１１１の構成を示す図である。図２５に示すように、表示部３１１１では、ゲート制御線Ｌｇおよびソース制御線Ｌｓが直交している。この構成により、表示部３１１１の１辺に、ソース制御端子Ｔｓが存在し、表示部３１１１の他の２辺に、ゲート制御端子Ｔｇが存在する。【００２２】
図２６は、従来技術に係る、表示パネル３０１１の構成を示す図である。図２６に示すように、表示部３１１１が図２５に示すような構成をとる結果、ソース制御端子Ｔｓおよびゲート制御端子Ｔｇに対応する表示部３１１１（表示パネル３０１１）の３辺に、表示パネル制御端子３１１２が形成されることになる。【００２３】
つまり、例えば、ソース駆動回路およびゲート駆動回路をフレキシブルな材質により構成したとしても、接続部分（表示パネル制御端子３１１２）は必要であるため、３辺の非表示部分をなくすことが困難である。【００２４】
特許文献２に開示されている構成では、これに対して、ゲート駆動回路およびソース駆動回路を表示パネルの同じ１辺の側に実装し、非表示部分を小さくしようとしている。しかしながら、ゲート信号を入力する辺から、ソース駆動回路を実装する辺まで配線が必要になるため、非表示部分をなくすことはできない。【００２５】
つまり、特許文献２に開示されている構成では、表示パネルの少なくとも２辺の非表示領域をなくすことが困難である。【００２６】
上述の課題を鑑みて、本発明では、マトリクス型の液晶表示パネルの１辺側のみからゲート信号およびソース信号を入力して表示制御可能な表示装置、および、当該表示装置を構成する駆動モジュールを提供することを目的とする。
【課題を解決するための手段】
【００２７】
上記の課題を解決するために、本発明の一態様に係る駆動モジュールは、入力信号の入力を受ける入力端子と、ゲート信号を出力するゲート出力端子と、ソース信号を出力するソース出力端子とを備えている駆動モジュールであって、上記入力端子を介して入力された上記入力信号から、上記ゲート信号を生成するゲート駆動回路と、上記ソース信号を生成するソース駆動回路と、上記ゲート駆動回路と上記ゲート出力端子とを接続するゲート配線と、上記ソース駆動回路と上記ソース出力端子とを接続するソース配線とを備えており、上記ゲート出力端子および上記ソース出力端子は、上記駆動モジュールの１辺側にのみ形成されており、上記ソース駆動回路は、方形状であり、当該ソース駆動回路の３辺において、上記ソース配線によって上記ソース出力端子と接続されており、上記ゲート駆動回路は、当該ソース駆動回路および上記３辺をそれぞれ通過する上記ゲート配線を介して、上記ゲート出力端子と接続されており、上記ゲート配線および上記ソース配線は、混合されて、当該ソース駆動回路からファンアウトされている。
【発明の効果】
【００２９】
本発明の一態様によれば、マトリクス型の液晶表示パネルの１辺側のみからゲート信号およびソース信号を入力する表示制御に好適な駆動モジュールを提供することができる。【００３１】
そして、上記駆動モジュールを備えることにより、マトリクス型の液晶表示パネルの１辺側のみからゲート信号およびソース信号を入力して表示制御可能な表示装置を提供することができる効果を奏する。
【図面の簡単な説明】
【００３２】
【図１】本発明の一態様に係る表示装置の構成を示す図である。
【図２】図１に示す表示装置が備えている表示パネルの構成を示す図であり、（ａ）は全体の構成を示し、（ｂ）は画素の構成を示す図である。
【図３】図２に示す表示パネルが備えている表示部における制御線の概略構成を示す図である。
【図４】図２に示す表示パネルが備えている表示部と表示パネル制御端子との位置関係を示す図である。
【図５】図１に示す表示装置が備えている駆動モジュールの構成を示す図であり、（ａ）は上面図、（ｂ）は断面図である。
【図６】図５に示す駆動モジュールの比較例の構成を示す図である。
【図７】図５に示す駆動モジュールの構成要素を示す図である。
【図８】本発明の一態様に係る駆動モジュールの詳細な構成を示す図である。
【図９】図８に示す駆動モジュールが備えているゲートドライバを通過する配線を示す図である。
【図１０】図８に示す駆動モジュールが備えている混合出力線の構成を示す図である。
【図１１】本発明の他の態様に係る駆動モジュールの構成を示す図である。
【図１２】本発明の他の態様に係る駆動モジュールの構成を示す図である。
【図１３】本発明の他の態様に係る駆動モジュールの構成を示す図である
【図１４】本発明の他の態様に係る駆動モジュールの構成を示す図である。
【図１５】本発明の他の態様に係る駆動モジュールの構成を示す図である。
【図１６】本発明の他の態様に係る駆動モジュールの構成を示す図である。
【図１７】本発明の一態様に係るマルチディスプレイ装置の構成を示す図である。
【図１８】本発明の他の態様に係る駆動モジュールの構成を示す図であり、（ａ）は基材の打ち抜き前、（ｂ）は基材の打ち抜き後を示す図である。
【図１９】本発明の他の態様に係る駆動モジュールの構成を示す図であり、（ａ）は基材の打ち抜き前、（ｂ）は基材の打ち抜き後を示す図である。
【図２０】従来技術に係る、一般的な液晶表示装置の表示パネルの構成を示す図であり、（ａ）は全体の構成を示し、（ｂ）は画素の構成を示す図である。
【図２１】従来技術に係る、駆動モジュールの構成を示す図であり、（ａ）は上面図、（ｂ）は断面図である。
【図２２】従来技術に係る、駆動モジュールの駆動回路に接続される配線の構成を示す図である。
【図２３】従来技術に係る、特許文献２に記載の構成を示す図である。
【図２４】従来技術に係る、表示装置の構成を示す図である。
【図２５】従来技術に係る、表示パネルが備えている表示部の構成を示す図である。
【図２６】従来技術に係る、表示パネルの構成を示す図である。
【発明を実施するための形態】
【００３３】
以下、本発明の実施の形態について、詳細に説明する。
【００３４】
〔実施形態１〕
本発明の一実施形態について、図１〜図１０などに基づいて説明すれば、以下のとおりである。
【００３５】
＜表示装置１の構成＞
図１は、本発明の一態様に係る表示装置１の構成を示す図である。図１に示すように、表示装置１は、入力信号生成部１３と、表示パネル１１と、駆動モジュール１２とを備えている。
【００３６】
ここで、駆動モジュール１２は、後述するように、入力信号生成部１３からの入力信号の入力を受ける入力端子と、ゲート信号を出力するゲート出力端子と、ソース信号を出力するソース出力端子とを備えている。また、駆動モジュール１２は、上記入力端子を介して入力された入力信号から、上記ゲート信号を生成するゲート駆動回路と、上記ソース信号を生成するソース駆動回路とを備えており、上記ゲート出力端子および上記ソース出力端子は、１辺側にのみ形成されている。また、表示パネル１１は、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている。
【００３７】
以下では、表示装置１が備えている主な構成要素の詳細について説明する。
【００３８】
（入力信号生成部１３）
入力信号生成部１３は、駆動モジュール１２に入力信号を供給する。当該入力信号は、例えば、駆動モジュール１２を駆動するための電力供給に利用される電気信号や、表示用のデータ信号や、駆動モジュール１２の各ドライバにおいてソース信号およびゲート信号を生成する際に利用されるクロック信号などの制御信号を含んでも良い。
【００３９】
（表示パネル１１）
図２は、表示装置１が備えている表示パネル１１の構成を示す図であり、（ａ）は全体の構成を示し、（ｂ）は画素Ｅの構成を示す図である。図２の（ａ）に示すように、表示パネル１１は、表示部１１１と、表示パネル制御端子（ゲート制御端子、ソース制御端子を含んでいる）１１２とを備えている。このように、表示パネル１１は、駆動モジュール１２の出力端子と接続する表示パネル制御端子１１２を１辺側のみに備えており、方形の形状を有している。
【００４０】
ここで、表示部１１１は、複数のソース制御線Ｌｓと、複数のゲート制御線Ｌｇとを備えている。ソース制御線Ｌｓは、直線状かつ互いに平行に配されている。また、ゲート制御線Ｌｇは、直線状かつ互いに平行に、そしてソース制御線Ｌｓと直交するように配されている。
【００４１】
ここで、ソース信号とは、ソース制御線Ｌｓを流れる信号である。また、ゲート信号とは、ゲート制御線Ｌｇを流れる信号である。
【００４２】
また、表示部１１１は、図２の（ａ）に破線枠で示している画素Ｅの集合により構成されているとしても良い。
【００４３】
図２の（ｂ）に示すように、画素Ｅは、スイッチング素子Ｓと、液晶容量Ｃｌｃとから構成されている。ここで、スイッチング素子Ｓは、薄膜トランジスター（ＴＦＴ；Thin Film Transistor）などであっても良い。また、スイッチング素子Ｓのドレインおよび液晶容量Ｃｌｃの一端が接続されている。また、液晶容量Ｃｌｃの他端は、グランドＧＮＤと接続されており、接地されている。
【００４４】
また、スイッチング素子Ｓのゲートには、ゲート制御線Ｌｇが接続されている。これにより、ゲート制御線Ｌｇから供給されるゲート信号を利用して、スイッチング素子Ｓを制御し、スイッチング素子Ｓのソースに接続されているソース制御線Ｌｓから供給されるソース信号を、スイッチング素子Ｓのドレインに接続されている液晶容量Ｃｌｃに充電する。これにより、表示部１１１における表示制御を行う。
【００４５】
また、ゲート制御線Ｌｇは、ゲート制御分岐線Ｌｂにより分岐されている。具体的には、図２の（ａ）に示すように、ゲート制御分岐線Ｌｂは、３本のソース制御線Ｌｓごとに、１本、ゲート制御線Ｌｇから分岐している。これにより、ゲート制御分岐線Ｌｂをソース制御線Ｌｓと同じ方向へ引き出して表示パネル制御端子１１２と接続することができるため、表示パネル１１は、１辺側のみに配した表示パネル制御端子１１２により、ゲート信号およびソース信号によって、表示制御することができる。
【００４６】
図３は、表示部１１１における各制御線（ソース制御線Ｌｓ、ゲート制御線Ｌｇ、ゲート制御分岐線Ｌｂ）の概略構成を示す図である。図３に示すように、表示部１１１では、ソース制御線Ｌｓが、表示部１１１の端部まで伸びており、ソース制御端子Ｔｓに接続されている。また、ゲート制御線Ｌｇからは、ゲート制御分岐線Ｌｂが分岐している。また、ゲート制御分岐線Ｌｂは、上記表示部１１１の端部まで伸びており、ゲート制御端子Ｔｇに接続されている。
【００４７】
このように、表示部１１１が備えている各制御線に対応する端子（ソース制御端子Ｔｓ、ゲート制御端子Ｔｇ）が表示部１１１の１辺に配置され、表示パネル制御端子１１２が形成される。
【００４８】
図４は、表示部１１１と表示パネル制御端子１１２との位置関係を示す図である。図４に示すように、表示パネル制御端子１１２は、表示部１１１の１辺側にのみ位置している。
【００４９】
つまり、表示パネル１１は、複数の互いに平行に配された、ゲート制御線Ｌｇおよび上記ゲート制御線Ｌｇと直交するソース制御線Ｌｓを備えている表示パネルであって、上記ゲート制御線Ｌｇから分岐しているゲート制御分岐線Ｌｂと、上記ソース制御線Ｌｓと接続されているソース制御端子Ｔｓと、上記ゲート制御分岐線Ｌｂと接続されているゲート制御端子Ｔｇとを備えており、方形状であり、上記ゲート制御端子Ｔｇおよび上記ソース制御端子Ｔｓは、１辺側にのみ形成されている。
【００５０】
上記構成によれば、制御端子（表示パネル制御端子１１２（ゲート制御端子Ｔｇおよびソース制御端子Ｔｓを含んでいる））を１辺側のみに備えている表示パネルを提供することができる。
【００５１】
さて、表示パネル制御端子１１２には、表示パネル１１を駆動するためのドライバである、駆動モジュール１２の出力端子が接続される。以下では、駆動モジュール１２について、詳細に説明する。
【００５２】
（駆動モジュール１２）
図５は、表示装置１が備えている駆動モジュール１２の構成を示す図であり、（ａ）は上面図、（ｂ）は断面図である。図５の（ａ）に示すように、駆動モジュール１２は、１枚の基材１２１の上に、入力端子Ｔｉｎと、ゲートドライバ（ゲート駆動回路）ＧＤと、ソースドライバ（ソース駆動回路）ＳＤと、出力端子Ｔｏｕｔとを備えている。ここで、出力端子Ｔｏｕｔは、駆動モジュール１２の１辺側にのみ形成されており、ゲートドライバＧＤの出力信号（ゲート信号）を出力するゲート出力端子およびソースドライバＳＤの出力信号（ソース信号）を出力するソース出力端子を備えている。つまり、上記ゲート出力端子および上記ソース出力端子は、駆動モジュール１２の１辺側にのみ形成されている。
【００５３】
ここで、ゲートドライバＧＤおよびソースドライバＳＤは、同一の基材１２１上に配されている。しかしながら、このような構成に限定されるわけではなく、例えば、各ドライバを複層化した複数の基板に別々に配しても良いし、同一の基板の両面を利用して互いに異なる面上に別々に配しても良い。
【００５４】
また、ゲートドライバＧＤおよびソースドライバＳＤは、単一のチップ内に含まれる構成をとっても良い。これにより、ゲート信号およびソース信号を、別々のドライバにより生成する構成と比較して、ドライバチップの個数を減らすことができるため、駆動モジュールを小型化かつ低コスト化できる。
【００５５】
また、入力端子Ｔｉｎおよび出力端子Ｔｏｕｔは、駆動モジュール１２（基材１２１）の端部に配されている。
【００５６】
また、基材１２１は、絶縁性のフレキシブルなテープやフィルムなどであっても良い。また、ゲートドライバＧＤやソースドライバＳＤは、フレキシブルなテープである基材１２１にチップオンフィルム（ＣＯＦ；Chip On Film）といった技法により形成されていても良い。また、基材１２１に設けられたスプロケットホールＨを利用して、基材１２１を移動したり、加工したりしても良い。
【００５７】
また、駆動モジュール１２の形状は、図５に示すような方形状に限定されるわけではなく、後述の図１８および図１９に示すように、基材１２１を加工して多角形状としても良い。
【００５８】
また、ソースドライバＳＤはソース信号を生成し、ゲートドライバＧＤはゲート信号を生成する。
【００５９】
また、ゲートドライバＧＤは、ソースドライバＳＤよりも入力端子Ｔｉｎの近くに配置されている。
【００６０】
また、ソースドライバＳＤおよびゲートドライバＧＤは、それぞれの中心が、図５の（ａ）に一点鎖線で示す駆動モジュール１２の中心線ＣＬ上に位置するように配置されている。
【００６１】
つまり、駆動モジュール１２では、上記ゲートドライバ（ゲート駆動回路）ＧＤおよび上記ソースドライバ（ソース駆動回路）ＳＤは、それぞれの中心が、上記出力端子（上記ゲート出力端子および上記ソース出力端子）Ｔｏｕｔが形成されている上記辺を通過している上記駆動モジュール１２の中心線ＣＬ上に位置するように配置されていても良い。
【００６２】
上記構成によれば、中心線ＣＬに対して線対称となるように各信号に係る配線を配置することができる。これにより、最適な配線の配置が可能となる。
【００６３】
また、仮に、ゲートドライバＧＤまたはソースドライバＳＤが中心線ＣＬ上にない場合には、配線の配置に無駄が生じる。これにより、駆動モジュール１２の面積が増え、駆動モジュール１２のコスト増に繋がる。しかしながら、上記構成によれば、このような配線の配置の無駄を抑制可能であり、駆動モジュール１２がコスト高になることを抑制することができる。
【００６４】
ここで、駆動モジュール１２が、例えば、テープである基材１２１上に各駆動回路を配置するようなテープデバイスである場合には、当該駆動モジュール１２を折り曲げて使用できることが好ましい。
【００６５】
上記構成によれば、各ドライバの中心を駆動モジュール１２の中心線ＣＬ上に配置することで、機械的な曲げ強度を高めることが可能であるので、駆動モジュール１２を折り曲げて使用することができる。
【００６６】
また、駆動モジュール１２の入力端子Ｔｉｎから供給される入力信号は、基材１２１上の配線によりゲートドライバＧＤおよびソースドライバＳＤの入力端子に接続される。さらに、ソースドライバＳＤおよびゲートドライバＧＤの出力端子はテープ上の配線にて、駆動モジュール１２の出力端子Ｔｏｕｔに接続される。
【００６７】
また、ゲートドライバＧＤおよびソースドライバＳＤに、入力端子を介して入力信号が入力されることにより、電力などが供給される。
【００６８】
図５の（ｂ）は、図５の（ａ）の中心線ＣＬの位置における駆動モジュール１２の断面図である。図５の（ｂ）に示すように、駆動モジュール１２は、基材１２１と、配線１２２とが積層されており、配線１２２は、接点ＣＰを介して、ソースドライバＳＤおよびゲートドライバＧＤと接続されている。また、配線１２２の上にはソルダーレジストが配されていても良い。また、ソースドライバＳＤおよびゲートドライバＧＤの接点部分は、樹脂１２４により封止されていても良い。
【００６９】
図６は、駆動モジュール１２の比較例である駆動モジュール１２０の構成を示す図である。図６に示すように、駆動モジュール１２０では、各ドライバ（ゲートドライバＧＤ、ソースドライバＳＤ）の中心が駆動モジュール１２０の中心線ＣＬ上にない。このため、入力端子ＴｉｎおよびゲートドライバＧＤを接続する配線Ａ、ゲートドライバＧＤおよび出力端子Ｔｏｕｔを接続する配線Ｂ、入力端子ＴｉｎおよびソースドライバＳＤを接続する配線Ｃ、ならびにソースドライバＳＤおよび出力端子Ｔｏｕｔを接続する配線Ｄを、中心線ＣＬに対して線対称に配置することができない。
【００７０】
図７は、駆動モジュール１２の構成要素を示す図である。図７に示すように、入力端子ＴｉｎとゲートドライバＧＤとの間には、ゲート入力線Ｌｇ＿ｉｎおよびソース入力線Ｌｓ＿ｉｎが配されている。ここで、ゲート入力線Ｌｇ＿ｉｎはゲートドライバＧＤと接続されているが、ソース入力線Ｌｓ＿ｉｎは、はゲートドライバＧＤと接続されておらず、ゲートドライバＧＤの下部を通過して、ソースドライバＳＤと接続されている。
【００７１】
また、ゲートドライバＧＤとソースドライバＳＤとの間には、ゲートドライバＧＤから出力された図示しないゲート出力線Ｌｇ＿ｏｕｔおよびゲートドライバＧＤの下部を通過したソース入力線Ｌｓ＿ｉｎが配されている。
【００７２】
また、ソースドライバＳＤと出力端子Ｔｏｕｔとの間には、混合出力線（ゲート出力線Ｌｇ＿ｏｕｔおよびソース出力線Ｌｇ＿ｏｕｔ）Ｌｍｉｘが配されている。
【００７３】
つまり、駆動モジュール１２では、上記ゲートドライバ（ゲート駆動回路）ＧＤは、方形状であり、当該ゲートドライバＧＤの互いに対向する１組の２辺ａ１において、上記入力端子Ｔｉｎと接続されており、当該ゲートドライバＧＤの他の１辺であって、上記出力端子（上記ゲート出力端子および上記ソース出力端子）Ｔｏｕｔが形成されている上記辺の側に位置する辺ａ２において、上記出力端子（ゲート出力端子を含んでいる）Ｔｏｕｔと接続されており、上記ソースドライバ（ソース駆動回路）ＳＤは、当該ゲートドライバＧＤを通過する配線であって、上記１組の２辺ａ１の間に位置する配線を介して、上記入力端子Ｔｉｎと接続されていても良い。
【００７４】
上記構成によれば、ゲートドライバＧＤは、当該ゲートドライバＧＤの２辺ａ１を利用し、入力端子Ｔｉｎを介して最大限に入力信号の入力を受けることができる。
【００７５】
また、ソースドライバＳＤは、ゲートドライバＧＤの、上記２辺ａ１以外の辺ａ２および入力端子Ｔｉｎを介して最大限に入力信号の入力を受けることができる。
【００７６】
すなわち、駆動モジュール１２は、入力端子Ｔｉｎを介して、ゲートドライバＧＤおよびソースドライバＳＤに、最大限の入力信号の入力を受けることができる。
【００７７】
また、駆動モジュール１２では、上記ソースドライバ（ソース駆動回路）ＳＤは、方形状であり、当該ソースドライバＳＤの３辺ｂ２において、上記出力端子（ソース出力端子を含んでいる）Ｔｏｕｔと接続されており、上記ゲートドライバ（ゲート駆動回路）ＧＤは、当該ソースドライバＳＤおよび上記３辺ｂ２を通過する配線を介して、上記出力端子（ゲート出力端子を含んでいる）Ｔｏｕｔと接続されていても良い。
【００７８】
上記構成によれば、駆動モジュール１２は、ソースドライバＳＤの３辺ｂ２（入力辺ｂ１以外）を使って、最大限にファンアウトすることができる。ここで、ファンアウトするとは、出力のために配線を広げることを意味している。
【００７９】
そして、ソースドライバＳＤの１辺から一定本数の配線を出力端子Ｔｏｕｔへ接続する構成（以下、構成ａ）と、ソースドライバＳＤの３辺から当該一定本数の配線を出力端子Ｔｏｕｔへ接続する構成（以下、構成ｂ）とを比較する場合、構成ａの方がソースドライバＳＤの各辺における配線ピッチが狭くなり、当該ピッチを、駆動モジュールの出力端子Ｔｏｕｔのピッチと合わせファンアウトするための領域が大きくなってしまう。
【００８０】
しかしながら、構成ｂの場合には、ソースドライバＳＤの３辺を利用しており、構成ａの場合と比較して上記配線ピッチを広く確保することができる。つまり、出力端子Ｔｏｕｔと対面しないソースドライバＳＤの辺において、ファンアウトするために大きな領域を必要としない。このため、構成ｂにより、ソースドライバＳＤと出力端子Ｔｏｕｔとの間の配線距離を短縮でき、駆動モジュールを小さく構成可能なため、駆動モジュールを小型化するとともにコストダウンすることができる。
【００８１】
以下では、駆動モジュール１２の構成をさらに詳細に説明する。
【００８２】
図８は、本発明の一態様に係る駆動モジュール１２の詳細な構成を示す図である。また、図８は、図５の（ｂ）において基材１２１、ソルダーレジスト１２３、および樹脂１２４が無いものとして白矢印の方向（下部）から配線１２２（ゲート入力線Ｌｇ＿ｉｎ、ソース入力線Ｌｓ＿ｉｎ、ゲート出力線Ｌｇ＿ｏｕｔ、ソース出力線Ｌｓ＿ｏｕｔ）、接点ＣＰ、ゲートドライバＧＤ、およびソースドライバＳＤを見たときの構成を示している。
【００８３】
図８に示すように、入力端子Ｔｉｎを介してゲートドライバＧＤおよびソースドライバＳＤに入力信号（電力を含む）が入力される。また、ゲートドライバＧＤの入力信号は、図示しない基材１２１上に配置された配線にて、ゲートドライバＧＤに直接入力される。また、ソースドライバＳＤの入力信号は、基材１２１上に配置された配線にてゲートドライバＧＤの下を通過したのち、ソースドライバＳＤに入力される。
【００８４】
また、出力端子Ｔｏｕｔは、駆動モジュール１２の１辺側にのみ形成されており、ゲートドライバＧＤの出力信号（ゲート信号）を出力する複数のゲート出力端子およびソースドライバＳＤの出力信号（ソース信号）を出力する複数のソース出力端子を備えている。つまり、上記ゲート出力端子および上記ソース出力端子は、駆動モジュール１２の１辺側にのみ形成されている。
【００８５】
さらに、出力端子Ｔｏｕｔでは、図２の（ａ）に示す１辺側のみにソース制御端子およびゲート制御端子（図３および図４に示すように、各制御端子は表示パネル制御端子１１２に含まれている）が配置される表示パネル１１に対応して、上記ソース出力端子は、上記ゲート出力端子ｍ個につきｎ個存在するように形成されている。つまり、ｎ本のソース出力線Ｌｓ＿ｏｕｔ毎にゲート出力線Ｌｇ＿ｏｕｔがｍ本（ｍ、ｎは整数）配置されるように、ソース出力端子およびゲート出力端子が形成されている。
【００８６】
具体的には、ソース出力線Ｌｓ＿ｏｕｔ３本が、出力端子Ｔｏｕｔに配線される毎に、ゲート出力線Ｌｇ＿ｏｕｔ１本が、出力端子Ｔｏｕｔに配線されている。このとき、ゲート出力線Ｌｇ＿ｏｕｔはソースドライバＳＤの下を通過して配線される。
【００８７】
しかしながら、この構成に限定されるわけではなく、ゲート出力線Ｌｇ＿ｏｕｔの本数およびソース出力線Ｌｓ＿ｏｕｔの本数は、表示パネル１１の仕様に応じて変更されても良い。
【００８８】
例えば、ソース出力線Ｌｓ＿ｏｕｔ６本が、出力端子Ｔｏｕｔに配線される毎に、ゲート出力線Ｌｇ＿ｏｕｔ１本が、出力端子Ｔｏｕｔに配線される構成であっても良い。
【００８９】
上記のように各ドライバを配置、配線することにより、図２の表示パネル１１にソース信号およびゲート信号を供給することができる。
【００９０】
つまり、駆動モジュール１２は、入力信号生成部１３からの入力信号の入力を受ける入力端子Ｔｉｎと、出力端子Ｔｏｕｔ（ゲート信号を出力するゲート出力端子と、ソース信号を出力するソース出力端子）とを備えている駆動モジュールであって、上記入力端子Ｔｉｎを介して入力された入力信号から、上記ゲート信号を生成するゲートドライバ（ゲート駆動回路）ＧＤと、上記ソース信号を生成するソースドライバ（ソース駆動回路）ＳＤとを備えており、上記出力端子Ｔｏｕｔ（上記ゲート出力端子および上記ソース出力端子）は、１辺側にのみ形成されている。
【００９１】
上記構成によれば、駆動モジュール１２は、例えば表示パネルの１辺側のみから制御端子などを介してゲート信号およびソース信号を供給可能となり、各信号により表示パネルを表示制御することができる。また、このようなゲート信号およびソース信号は、マトリクス型の液晶表示パネルの表示制御に好適である。
【００９２】
すなわち、マトリクス型の液晶表示パネルの１辺側のみからゲート信号およびソース信号を入力する表示制御に好適な駆動モジュールを提供することができる。
【００９３】
また、駆動モジュール１２では、上記ゲートドライバ（ゲート駆動回路）ＧＤは、上記ソースドライバ（ソース駆動回路）ＳＤよりも上記入力端子Ｔｉｎの近くに配置されていても良い。
【００９４】
上記構成によれば、入力端子Ｔｉｎから、ゲートドライバＧＤ、ソースドライバＳＤの順に各回路を配置することができる。これにより、本数の多いソース信号用の配線に混在させて、ゲート信号用の配線をファンアウト出力可能となり、駆動モジュール１２内のエリアを有効に利用でき、効率的に配線を配置することができる。
【００９５】
図９は、ゲートドライバＧＤを通過する配線を示す図である。図９に示すように、駆動モジュール１２では、上記ゲートドライバ（ゲート駆動回路）ＧＤおよび上記出力端子（ゲート出力端子を含んでいる）Ｔｏｕｔは、上記ソースドライバ（ソース駆動回路）ＳＤを通過するソース入力線Ｌｓ＿ｉｎ（配線）を介して接続されていても良い。
【００９６】
上記構成によれば、ゲートドライバＧＤは、ソースドライバＳＤを通過する配線を介して、ゲート信号を出力端子Ｔｏｕｔ（ゲート出力端子を含んでいる）へ出力することができる。これにより、ソースドライバＳＤを迂回させた配線が必要なくなり、配線距離を短くすることが可能となって、駆動モジュール１２を低コスト化することができる。
【００９７】
また、駆動モジュール１２では、上記入力端子Ｔｉｎおよび上記ソースドライバ（ソース駆動回路）ＳＤは、上記ゲートドライバ（ゲート駆動回路）ＧＤを通過する配線を介して接続されていても良い。
【００９８】
上記構成によれば、ソースドライバＳＤは、ゲートドライバＧＤを通過する配線を介して、入力信号の入力を入力端子Ｔｉｎから受けることができる。これにより、ゲートドライバＧＤを迂回させた配線が必要なくなり、配線距離を短くすることが可能となって、駆動モジュール１２を低コスト化することができる。
【００９９】
図１０は、混合出力線Ｌｍｉｘの構成を示す図である。図１０に示すように、混合出力線Ｌｍｉｘは、複数のソース出力線Ｌｓ＿ｏｕｔおよびゲート出力線Ｌｇ＿ｏｕｔから構成されている。また、複数のソース出力線Ｌｓ＿ｏｕｔごとにゲート出力線Ｌｇ＿ｏｕｔが配されている。
【０１００】
ここで、例えば、３本のソース出力線Ｌｓ＿ｏｕｔごとにゲート出力線Ｌｇ＿ｏｕｔが配されていても良いし、例えば、６本のソース出力線Ｌｓ＿ｏｕｔごとにゲート出力線Ｌｇ＿ｏｕｔが配されていても良い。
【０１０１】
つまり、駆動モジュール１２では、上記ソース出力線（ソース信号用の配線）Ｌｓ＿ｏｕｔは、上記ゲート出力線（ゲート信号用の配線）Ｌｇ＿ｏｕｔ１本につき３本備えられていても良い。
【０１０２】
上記構成によれば、駆動モジュール１２は、例えばＲＧＢ３色の表示制御を行うことができる。
【０１０３】
また、駆動モジュール１２では、上記ソース出力線（ソース信号用の配線）Ｌｓ＿ｏｕｔは、上記ゲート出力線（ゲート信号用の配線）Ｌｇ＿ｏｕｔ１本につき６本備えられていても良い。
【０１０４】
上記構成によれば、駆動モジュール１２は、より高精細かつ高速に表示制御を行うことができる。
【０１０５】
＜表示装置１の効果＞
上記構成によれば、表示パネル１１は、その１辺側のみから表示パネル制御端子１１２（各制御端子）を介してゲート信号およびソース信号を取得可能となり、各信号による表示制御を受けることができる。また、このようなゲート信号およびソース信号は、マトリクス型の液晶表示パネルの表示制御に好適である。
【０１０６】
すなわち、マトリクス型の液晶表示パネルの１辺側のみからゲート信号およびソース信号を入力して表示制御可能な表示装置を提供することができる。
【０１０７】
〔実施形態２〕
本発明の他の実施形態について、図１１〜図１４に基づいて説明すれば、以下のとおりである。なお、説明の便宜上、上記実施形態にて説明した部材と同じ機能を有する部材については、同じ符号を付記し、その説明を省略する。
【０１０８】
＜駆動モジュール１２の変形例の構成および効果＞
駆動モジュール１２は、上述の構成に限定されるわけではない。例えば、以下に説明する変形例のような構成であっても良い。
【０１０９】
（駆動モジュール１２ａ）
図１１は、駆動モジュール１２ａの構成を示す図である。図１１に示すように、駆動モジュール１２ａでは、ソース入力線Ｌｓ＿ｉｎが、ゲート配線（ゲート入力線Ｌｇ＿ｉｎ、ゲート出力線Ｌｇ＿ｏｕｔ）の間に配置されている。このように、入力端子Ｔｉｎの形態に応じて、各配線を配置しても良い。
【０１１０】
（駆動モジュール１２ｂ）
図１２は、駆動モジュール１２ｂの構成を示す図である。図１２に示すように、駆動モジュール１２ｂでは、ソース入力線Ｌｓ＿ｉｎが、ゲートドライバＧＤを通過する配線を介さずにゲートドライバＧＤの両脇を通過して、ソースドライバＳＤと接続されている。このように、入力端子Ｔｉｎの形態に応じて、各配線を配置しても良い。
【０１１１】
（駆動モジュール１２ｃ）
図１３は、駆動モジュール１２ｃの構成を示す図である。図１３に示すように、駆動モジュール１２ｃでは、ゲートドライバＧＤと接続されているゲート出力線Ｌｇ＿ｏｕｔは、さらにソースドライバＳＤとも接続されている。そして、当該ゲート出力線Ｌｇ＿ｏｕｔは、ソースドライバＳＤの図示しない回路内配線を介して、ソースドライバＳＤから出力され、出力端子Ｔｏｕｔと接続されている。
【０１１２】
つまり、ゲートドライバＧＤの出力信号を一旦ソースドライバＳＤへ入力し、ソースドライバＳＤは、ソース信号を生成するとともに、３つのソース信号の出力毎に１つのゲート信号を生成する。
【０１１３】
換言するならば、駆動モジュール１２ｃは、入力信号生成部１３からの入力信号の入力を受ける入力端子Ｔｉｎと、ゲート信号およびソース信号を出力する出力端子（ゲート信号を出力するゲート出力端子と、ソース信号を出力するソース出力端子）Ｔｏｕｔとを備えている駆動モジュールであって、上記入力端子Ｔｉｎを介して入力された入力信号から上記ソース信号を生成するソースドライバ（ソース駆動回路）ＳＤとを備えており、上記出力端子（上記ゲート出力端子および上記ソース出力端子）Ｔｏｕｔは、１辺側にのみ形成されており、上記ソースドライバＳＤは、上記ゲート信号を伝送する回路内配線を含んでいる。
【０１１４】
上記構成によれば、ソースドライバＳＤは、回路内配線によりゲート信号を伝送することができる。また、ソースドライバＳＤは、ソース信号を生成することができる。
【０１１５】
よって、駆動モジュール１２ｃは、例えば表示パネルの１辺側のみから制御端子などを介してゲート信号およびソース信号を供給可能となり、各信号により表示パネルを表示制御することができる。また、このようなゲート信号およびソース信号は、マトリクス型の液晶表示パネルの表示制御に好適である。
【０１１６】
すなわち、マトリクス型の液晶表示パネルの１辺側のみからゲート信号およびソース信号を入力する表示制御に好適な駆動モジュールを提供することができる。
【０１１７】
また、ソースドライバＳＤの回路内配線を利用することにより、配線を単純化することができる。
【０１１８】
また、上述の表示装置１は、駆動モジュール１２にかえて、駆動モジュール１２ｃを備えていても良い。
【０１１９】
また、駆動モジュール１２ｃは、上記入力端子Ｔｉｎを介して入力された入力信号から上記ゲート信号を生成するゲートドライバ（ゲート駆動回路）ＧＤをさらに備えていても良い。
【０１２０】
上記構成によれば、ソースドライバＳＤの回路内配線は、ゲートドライバＧＤからゲート信号を取得することができる。
【０１２１】
また、表示装置１は、図示しない入力信号生成部１３からの入力信号の入力を受ける入力端子Ｔｉｎと、出力端子（ゲート信号を出力するゲート出力端子と、ソース信号を出力するソース出力端子）Ｔｏｕｔとを備えている駆動モジュールであって、上記入力端子Ｔｉｎを介して入力された入力信号から上記ソース信号を生成するソースドライバ（ソース駆動回路）ＳＤを備えており、上記出力端子（上記ゲート出力端子および上記ソース出力端子）Ｔｏｕｔは、１辺側にのみ形成されており、上記ソースドライバＳＤは、上記ゲート信号を伝送する回路内配線を含んでいる駆動モジュール１２と、表示パネル制御端子（上記ゲート出力端子と接続されており上記ゲート信号の入力を受けるゲート制御端子と、上記ソース出力端子と接続されており上記ソース信号の入力を受けるソース制御端子）１１２とを備えており、方形状であり、上記表示パネル制御端子（上記ゲート制御端子および上記ソース制御端子）１１２は、１辺側にのみ形成されている表示パネル１１とを備えていても良い。
【０１２２】
上記構成によれば、ソースドライバＳＤは、回路内配線によりゲート信号を伝送することができる。また、ソースドライバＳＤは、ソース信号を生成することができる。
【０１２３】
よって、表示パネル１１は、その１辺側のみから各制御端子を介してゲート信号およびソース信号を取得可能となり、各信号による表示制御を受けることができる。また、このようなゲート信号およびソース信号は、マトリクス型の液晶表示パネルの表示制御に好適である。
【０１２４】
すなわち、マトリクス型の液晶表示パネルの１辺側のみからゲート信号およびソース信号を入力して表示制御可能な表示装置を提供することができる。
【０１２５】
（駆動モジュール１２ｄ）
図１４は、駆動モジュール１２ｄの構成を示す図である。図１４に示すように、駆動モジュール１２ｄでは、ソース入力線Ｌｓ＿ｉｎが、ゲートドライバＧＤを通過する配線を介さずにゲートドライバＧＤの両脇を通過して、ソースドライバＳＤと接続されており、かつ、ゲートドライバＧＤと接続されているゲート出力線Ｌｇ＿ｏｕｔは、さらにソースドライバＳＤとも接続されている。そして、当該ゲート出力線Ｌｇ＿ｏｕｔは、ソースドライバＳＤの図示しない回路内配線を介して、ソースドライバＳＤから出力され、出力端子Ｔｏｕｔと接続されている。このように、上述の駆動モジュールの構成に他の駆動モジュールの構成を組み合わせて、駆動モジュールを構成しても良い。
【０１２６】
〔実施形態３〕
本発明の他の実施形態について、図１５および図１６に基づいて説明すれば、以下のとおりである。なお、説明の便宜上、上記実施形態にて説明した部材と同じ機能を有する部材については、同じ符号を付記し、その説明を省略する。
【０１２７】
＜駆動モジュール１２の他の変形例の構成および効果＞
駆動モジュール１２の変形例は、上述の構成に限定されるわけではない。例えば、以下に説明する変形例のような構成であっても良い。
【０１２８】
（駆動モジュール１２ｅ）
図１５は、駆動モジュール１２ｅの構成を示す図である。図１５に示すように、駆動モジュール１２ｅは、図１２に示す駆動モジュール１２ｂにおいて、ソースドライバＳＤの形状が、入力端子Ｔｉｎおよび出力端子Ｔｏｕｔを結ぶ方向に拡張されている。
【０１２９】
ここで、駆動モジュール１２ｂのように、ソースドライバＳＤの形状が、入力端子Ｔｉｎおよび出力端子Ｔｏｕｔを結ぶ方向に短いような長方形である場合には、駆動モジュール１２ｂ全体の入力端子Ｔｉｎと出力端子Ｔｏｕｔとの間の長さを短くすることができる。これにより、駆動モジュール１２ｂは、小型化することができるという点において、有利である。
【０１３０】
しかしながら、ゲート出力線Ｌｇ＿ｏｕｔおよびソース出力線Ｌｓ＿ｏｕｔの本数が多くなると、ソースドライバＳＤの周囲長が短いため、ソースドライバＳＤにおいて各接点ＣＰ間のピッチを狭くする必要が発生する。また、各ゲート出力線Ｌｇ＿ｏｕｔおよび各ソース出力線Ｌｓ＿ｏｕｔの間のピッチも狭くする必要が発生する。このため、駆動モジュールの製造において、加工精度を向上させるための費用が発生するという問題がある。
【０１３１】
一方、駆動モジュール１２ｅでは、ソースドライバＳＤの形状がほぼ正方形であり、駆動モジュール１２ｅの３辺に出力端子Ｔｏｕｔを設けることができる。
【０１３２】
さらに、駆動モジュール１２ｅでは、チップ（ソースドライバＳＤ）の面積を大きくしてチップ周囲長を長くすることにより、チップにおける各接点ＣＰ間のピッチを広くしている。これにより、配線間のピッチも広くすることができる。例えば、配線間のピッチを、５０μｍ程度にすることができる。
【０１３３】
よって、駆動モジュール１２ｅの製造において、微細な加工が必要でなくなるため、加工費用を安くすることができる。また、微細な加工が必要でなくなるため、旧世代のプロセスを利用してチップを製造することができる。これにより、例えば、減価償却の終わった工場でチップの製造が可能となり、チップを低コスト化することができる。
【０１３４】
（駆動モジュール１２ｆ）
図１６は、駆動モジュール１２ｆの構成を示す図である。図１６に示すように、駆動モジュール１２ｆは、図１４に示す駆動モジュール１２ｄにおいて、駆動モジュール１２ｅのように、ソースドライバＳＤの形状が、入力端子Ｔｉｎおよび出力端子Ｔｏｕｔを結ぶ方向に拡張されている。
【０１３５】
つまり、駆動モジュール１２ｆは、駆動モジュール１２ｄのようなソースドライバＳＤが回路内配線を備えている構成と、駆動モジュール１２ｅの構成とを組み合わせた構成を備えている。このように、上述の駆動モジュールの構成に他の駆動モジュールの構成を組み合わせて、駆動モジュールを構成しても良い。
【０１３６】
例えば、駆動モジュール１２ｆでは、上記ゲートドライバ（ゲート駆動回路）ＧＤは、方形状であり、当該ゲートドライバＧＤの互いに対向する１組の２辺において、上記入力端子Ｔｉｎと接続されており、当該ゲートドライバＧＤの他の１辺であって、上記出力端子（上記ゲート出力端子および上記ソース出力端子）Ｔｏｕｔが形成されている上記辺の側に位置する辺において、上記回路内配線と接続されており、上記ソースドライバ（ソース駆動回路）ＳＤは、当該ゲートドライバＧＤを通過する配線であって、上記１組の２辺の間に位置する配線を介して、上記入力端子Ｔｉｎと接続されていても良い。
【０１３７】
上記構成によれば、ゲートドライバＧＤは、当該ゲートドライバＧＤの２辺を利用し、入力端子Ｔｉｎを介して最大限に入力信号の入力を受けることができる。
【０１３８】
また、ソースドライバＳＤは、ゲートドライバＧＤの、上記２辺以外の辺および入力端子Ｔｉｎを介して最大限に入力信号の入力を受けることができる。
【０１３９】
すなわち、駆動モジュール１２ｆは、入力端子Ｔｉｎを介して、ゲートドライバＧＤおよびソースドライバＳＤに、最大限に入力信号の入力を受けることができる。
【０１４０】
また、駆動モジュール１２ｆでは、上記ソースドライバ（ソース駆動回路）ＳＤは、方形状であり、当該ソースドライバＳＤの３辺において、上記出力端子（ソース出力端子を含んでいる）Ｔｏｕｔと接続されており、上記回路内配線は、上記３辺において、上記出力端子（ゲート出力端子を含んでいる）Ｔｏｕｔと接続されており、上記ゲートドライバ（ゲート駆動回路）ＧＤは、当該回路内配線と接続されていても良い。
【０１４１】
上記構成によれば、駆動モジュール１２ｆは、ソース駆動回路の３辺（入力辺以外）を使って、最大限にファンアウトすることができる。
【０１４２】
ここで、ファンアウトとは、論理出力（数）のことを意味し、ファンアウトするとは、ソース信号およびゲート信号を出力することを意味する。また、最大限にファンアウトすることができるとは、最大限に、ソース信号を出力するソース出力線Ｌｓ＿ｏｕｔおよびゲート信号を出力するゲート出力線Ｌｇ＿ｏｕｔの本数を増やすことができることを意味する。
【０１４３】
〔実施形態４〕
＜その他の構成および当該構成の効果＞
上述の駆動モジュールは、ゲートドライバＧＤおよびソースドライバＳＤを個別に備えている。しかしながら、このような構成に限定されるわけではなく、本発明の一態様に係る駆動モジュールでは、上述のゲートドライバＧＤおよびソースドライバＳＤを、１つの半導体に置き換えても良い。
【０１４４】
つまり、当該駆動モジュールにおいて、ソース信号およびゲート信号を、当該半導体内部で生成し、３つのソース信号ごとに１つのゲート信号を出力する。また、当該駆動モジュールにおいて、出力端子Ｔｏｕｔの構成に整合するように、当該半導体内部の当該信号出力に係る配線を構成しても良い。
【０１４５】
さらに、本発明の一態様に係る表示装置は、当該駆動モジュールを備えていても良い。
【０１４６】
例えば、本発明の一態様に係る表示装置は、入力信号の入力を受ける入力端子と、ゲート信号を出力するゲート出力端子と、ソース信号を出力するソース出力端子とを備えている駆動モジュールであって、上記入力端子を介して入力された上記入力信号から、上記ゲート信号および上記ソース信号を生成する駆動回路を備えており、上記ゲート出力端子および上記ソース出力端子は、１辺側にのみ形成されている駆動モジュールと、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている表示パネルとを備えている。
【０１４７】
上記構成によれば、表示パネルは、その１辺側のみから各制御端子を介してゲート信号およびソース信号を取得可能となり、各信号による表示制御を受けることができる。また、このようなゲート信号およびソース信号は、マトリクス型の液晶表示パネルの表示制御に好適である。
【０１４８】
すなわち、マトリクス型の液晶表示パネルの１辺側のみからゲート信号およびソース信号を入力して表示制御可能な表示装置を提供することができる。
【０１４９】
また、ゲート信号およびソース信号を、別々の駆動回路により生成する構成と比較して、駆動回路の個数を減らすことができるため、表示装置を小型化かつ低コスト化できる。これにより、マトリクス型の液晶表示パネルの１辺側のみからゲート信号およびソース信号を入力して表示制御可能、小型、かつ低コストな表示装置を提供することができる。
【０１５０】
また、本発明の一態様に係る表示装置は、複数の、上記駆動モジュールと、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている表示パネルとを備えている。
【０１５１】
上記構成によれば、表示装置は、複数の駆動モジュールを備えていることにより、単数の駆動モジュールでは全面を表示制御できないような大型の表示パネルに対しても、全面を表示制御することができる。
【０１５２】
すなわち、マトリクス型の大型液晶表示パネルの１辺側のみからゲート信号およびソース信号を入力する表示制御に好適な駆動モジュールを提供することができる。
【０１５３】
例えば、図１に示す表示装置１は、３個の駆動モジュール１２を備えている。
【０１５４】
〔実施形態５〕
本発明の他の実施形態について、図１７に基づいて説明すれば、以下のとおりである。なお、説明の便宜上、上記実施形態にて説明した部材と同じ機能を有する部材については、同じ符号を付記し、その説明を省略する。
【０１５５】
＜マルチディスプレイ装置１００の構成および効果＞
図１７は、マルチディスプレイ装置１００の構成を示す図である。図１７に示すように、マルチディスプレイ装置１００は、６個の表示装置１を備えており、各表示装置１は、表示パネル制御端子１１２を備えていない３辺のうち少なくとも１辺において互いに接合されている。
【０１５６】
例えば、マルチディスプレイ装置１００の角部に位置する表示装置１は、接合辺Ｆ１および接合辺Ｆ２で示す２辺において、他の表示装置１と接合されている。また、マルチディスプレイ装置１００の中部に位置する表示装置１は、接合辺Ｆ１および接合辺Ｆ２で示す３辺において、他の表示装置１と接合されている。
【０１５７】
このような構成により、マルチディスプレイ装置１００は、表示装置１が有している表示領域の６倍の面積を有している大型の表示領域１０１を実現している。
【０１５８】
つまり、マルチディスプレイ装置１００は、上記表示装置１を複数個備えており、各表示装置１は、図示しない上記表示パネル制御端子（上記ゲート制御端子および上記ソース制御端子）が形成されていない辺のうち少なくとも１辺において互いに接合されている。
【０１５９】
上記構成によれば、マルチディスプレイ装置１００は、表示装置１を複数個合わせることにより、単数の表示装置１の表示領域と比較して大型の表示領域１０１を備えることができる。
【０１６０】
また、各表示装置１の接合部分には制御端子（ゲート制御端子、ソース制御端子）が存在しないため、当該接合（非表示）部分を小さくすることができる。
【０１６１】
すなわち、大型の表示領域を備えており、非表示部分が小さいマルチディスプレイ装置を提供することができる。
【０１６２】
〔駆動モジュールの形状〕
図１８は、本発明の他の態様に係る駆動モジュール１２Ａの構成を示す図であり、（ａ）は基材１２１の打ち抜き前、（ｂ）は基材１２１の打ち抜き後（最終形態）を示す図である。図１８の（ａ）に示すように、基材１２１を打ち抜く前の駆動モジュール１２Ａの形状は、方形状になっている。ここで、基材１２１を打ち抜くとは、駆動モジュールの形状が所望の形状となるように、基材１２１の不要な部分を除去することを意味する。例えば、駆動モジュール１２Ａでは、出力端子Ｔｏｕｔ側に対して、入力端子Ｔｉｎ側の幅が狭く絞られているため、配線が不要な基材１２１の領域が、入力端子Ｔｉｎ側に存在する。図１８の（ｂ）に示すように、当該不要領域の基材１２１の部分などを打ち抜くことにより、出力端子Ｔｏｕｔ側に対して入力端子Ｔｉｎ側の幅が小さい多角形状の駆動モジュール１２Ａが得られる。
【０１６３】
図１９は、本発明の他の態様に係る駆動モジュール１２Ｂの構成を示す図であり、（ａ）は基材１２１の打ち抜き前、（ｂ）は基材１２１の打ち抜き後（最終形態）を示す図である。図１８の（ａ）に示す駆動モジュール１２Ａとは異なり、図１９の（ａ）に示すように駆動モジュール１２Ｂでは、入力端子ＴｉｎおよびゲートドライバＧＤを接続する配線が、ゲートドライバＧＤの対向する２辺ｃ１と接続されている。図１９の（ｂ）に示すように、２辺ｃ１のそれぞれと入力端子Ｔｉｎとを接続する配線領域を確保しつつ基材１２１を打ち抜くことにより、不要な領域を除去した多角形状の駆動モジュール１２Ｂが得られる。
【０１６４】
上述の実施形態では、駆動モジュールの形状が方形状である例を示したが、この構成に限定されるわけではなく、図１８および図１９に示す例のように、基材１２１の不要な部分を打ち抜いて、駆動モジュールの形状を所望の形状、例えば多角形状にしても良い。
【０１６５】
〔まとめ〕
本発明の一態様に係る駆動モジュールは、入力信号の入力を受ける入力端子と、ゲート信号を出力するゲート出力端子（出力端子Ｔｏｕｔに含まれる）と、ソース信号を出力するソース出力端子（出力端子Ｔｏｕｔに含まれる）とを備えている駆動モジュールであって、上記入力端子を介して入力された上記入力信号から、上記ゲート信号を生成するゲート駆動回路（ゲートドライバＧＤ）と、上記ソース信号を生成するソース駆動回路（ソースドライバＳＤ）とを備えており、上記ゲート出力端子および上記ソース出力端子は、１辺側にのみ形成されている。
【０１６６】
上記構成によれば、駆動モジュールは、例えば表示パネルの１辺側のみから制御端子などを介してゲート信号およびソース信号を供給可能となり、各信号により表示パネルを表示制御することができる。また、このようなゲート信号およびソース信号は、マトリクス型の液晶表示パネルの表示制御に好適である。
【０１６７】
すなわち、マトリクス型の液晶表示パネルの１辺側のみからゲート信号およびソース信号を入力する表示制御に好適な駆動モジュールを提供することができる。
【０１６８】
また、本発明の一態様に係る駆動モジュールは、複数の上記ゲート出力端子および複数の上記ソース出力端子を備えており、上記ソース出力端子は、上記ゲート出力端子ｍ個につきｎ個存在するように形成されており、上記ｍおよび上記ｎは、整数であっても良い。
【０１６９】
上記構成によれば、ゲート出力端子およびソース出力端子を一定の比（ｍ：ｎ）の配列により規則的に配置可能となり、各出力端子に接続された配線も規則的に配置することができる。仮に、各出力端子および各配線が不規則に配置される場合には、各出力端子および各配線の配置に無駄が生じる。これにより、駆動モジュールの面積が増え、駆動モジュールのコスト増に繋がる。しかしながら、上記構成によれば、このような配線の配置の無駄を抑制可能であり、駆動モジュールがコスト高になることを抑制することができる。
【０１７０】
また、本発明の一態様に係る駆動モジュールでは、上記ｍと上記ｎとの比は、１：３または１：６であっても良い。
【０１７１】
上記構成によれば、ｍ：ｎの比が１：３であることにより、駆動モジュールは、例えばＲＧＢ３色の表示制御を行うことができる。また、ｍ：ｎの比が１：６であることにより、駆動モジュールは、より高精細かつ高速に表示制御を行うことができる。
【０１７２】
また、本発明の一態様に係る駆動モジュールでは、上記ソース駆動回路は、方形状であり、当該ソース駆動回路の３辺において、上記ソース出力端子と接続されており、上記ゲート駆動回路は、当該ソース駆動回路および上記３辺をそれぞれ通過する配線を介して、上記ゲート出力端子と接続されており、上記３辺と上記ゲート出力端子とをそれぞれ接続する配線および上記３辺と上記ソース出力端子とをそれぞれ接続する配線は、混合されて、当該ソース駆動回路からファンアウトされていても良い。
【０１７３】
上記構成によれば、駆動モジュールは、ソース駆動回路の３辺（入力辺以外）を使って、最大限にファンアウトすることができる。
【０１７４】
また、本発明の一態様に係る駆動モジュールでは、上記ゲート駆動回路は、上記ソース駆動回路よりも上記入力端子の近くに配置されていても良い。
【０１７５】
上記構成によれば、入力端子から、ゲート駆動回路、ソース駆動回路の順に各回路を配置することができる。これにより、本数の多いソース信号用の配線に混在させて、ゲート信号用の配線をファンアウト出力可能となり、駆動モジュール内のエリアを有効に利用でき、効率的に配線を配置することができる。
【０１７６】
また、本発明の一態様に係る表示パネルは、複数の互いに平行に配された、ゲート制御線および上記ゲート制御線と直交するソース制御線を備えている表示パネルであって、上記ゲート制御線から分岐しているゲート制御分岐線と、上記ソース制御線と接続されているソース制御端子と、上記ゲート制御分岐線と接続されているゲート制御端子とを備えており、方形状であり、上記ゲート制御端子および上記ソース制御端子は、１辺側にのみ形成されている。
【０１７７】
上記構成によれば、制御端子（表示パネル制御端子１１２、ゲート制御端子Ｔｇ、ソース制御端子Ｔｓ）を１辺側のみに備えている表示パネルを提供することができる。
【０１７８】
また、本発明の一態様に係る表示装置は、上記駆動モジュールと、上記表示パネルとを備えており、上記ゲート出力端子および上記ゲート制御端子が接続されており、上記ソース出力端子および上記ソース制御端子が接続されている。
【０１７９】
上記構成によれば、表示装置は、表示パネルの１辺側のみから各制御端子を介して駆動モジュールからゲート信号およびソース信号を取得可能となり、各信号による表示制御を受けることができる。また、このようなゲート信号およびソース信号は、マトリクス型の液晶表示パネルの表示制御に好適である。
【０１８０】
すなわち、マトリクス型の液晶表示パネルの１辺側のみからゲート信号およびソース信号を入力して表示制御可能な表示装置を提供することができる。
【０１８１】
また、本発明の一態様に係る表示装置は、上記駆動モジュールを複数個備えており、上記表示パネルの１辺側にのみ、当該複数の駆動モジュールが配されていても良い。
【０１８２】
上記構成によれば、表示装置は、複数の駆動モジュールを備えていることにより、単数の駆動モジュールでは全面を表示制御できないような大型の表示パネルに対しても、全面を表示制御することができる。
【０１８３】
すなわち、マトリクス型の大型液晶表示パネルの１辺側のみからゲート信号およびソース信号を入力する表示制御に好適な表示装置を提供することができる。
【０１８４】
また、本発明の一態様に係るマルチディスプレイ装置は、上記表示装置を複数個備えており、各表示装置は、上記ゲート制御端子および上記ソース制御端子が形成されていない辺のうち少なくとも１辺（接合辺Ｆ１、接合辺Ｆ２）において互いに接合されている。
【０１８５】
上記構成によれば、マルチディスプレイ装置は、表示装置を複数個合わせることにより、単数の表示装置の表示領域と比較して大型の表示領域を備えることができる。
【０１８６】
また、各表示装置の接合部分には制御端子（ゲート制御端子、ソース制御端子）が存在しないため、当該接合（非表示）部分を小さくすることができる。
【０１８７】
すなわち、大型の表示領域を備えており、非表示部分が小さいマルチディスプレイ装置を提供することができる。
【０１８８】
〔本発明の他の表現〕
本発明の一態様に係る駆動モジュールでは、上記ゲート駆動回路および上記ゲート出力端子は、上記ソース駆動回路を通過する配線を介して接続されていても良い。
【０１８９】
上記構成によれば、ゲート駆動回路は、ソース駆動回路を通過する配線を介して、ゲート信号をゲート出力端子へ出力することができる。これにより、ソース駆動回路を迂回させた配線が必要なくなり、配線距離を短くすることが可能となって、駆動モジュールを低コスト化することができる。
【０１９０】
また、本発明の一態様に係る駆動モジュールでは、上記ゲート駆動回路および上記ソース駆動回路は、それぞれの中心が、上記ゲート出力端子および上記ソース出力端子が形成されている上記辺を通過している上記駆動モジュールの中心線上に位置するように配置されていても良い。
【０１９１】
上記構成によれば、中心線に対して線対称となるように各信号に係る配線を配置することができる。これにより、最適な配線の配置が可能となる。
【０１９２】
また、仮に、ゲート駆動回路またはソース駆動回路が中心線上にない場合には、配線の配置に無駄が生じる。これにより、駆動モジュールの面積が増え、駆動モジュールのコスト増に繋がる。しかしながら、上記構成によれば、このような配線の配置の無駄を抑制可能であり、駆動モジュールがコスト高になることを抑制することができる。
【０１９３】
ここで、駆動モジュールが、例えば、テープ上に各駆動回路を配置するようなテープデバイスである場合には、当該駆動モジュールを折り曲げて使用できることが好ましい。
【０１９４】
上記構成によれば、各ドライバの中心を駆動モジュールの中心線上に配置することで、機械的な曲げ強度を高めることが可能であるので、駆動モジュールを折り曲げて使用することができる。
【０１９５】
また、本発明の一態様に係る駆動モジュールでは、上記入力端子および上記ソース駆動回路は、上記ゲート駆動回路を通過する配線を介して接続されていても良い。
【０１９６】
上記構成によれば、ソース駆動回路は、ゲート駆動回路を通過する配線を介して、入力信号の入力を入力端子から受けることができる。これにより、ゲート駆動回路を迂回させた配線が必要なくなり、配線距離を短くすることが可能となって、駆動モジュールを低コスト化することができる。
【０１９７】
また、本発明の一態様に係る駆動モジュールでは、上記ゲート駆動回路は、方形状であり、当該ゲート駆動回路の互いに対向する１組の２辺において、上記入力端子と接続されており、当該ゲート駆動回路の他の１辺であって、上記ゲート出力端子および上記ソース出力端子が形成されている上記辺の側に位置する辺において、上記ゲート出力端子と接続されており、上記ソース駆動回路は、当該ゲート駆動回路を通過する配線であって、上記１組の２辺の間に位置する配線を介して、上記入力端子と接続されていても良い。
【０１９８】
上記構成によれば、ゲート駆動回路は、当該ゲート駆動回路の２辺を利用し、入力端子を介して最大限に入力信号の入力を受けることができる。
【０１９９】
また、ソース駆動回路は、ゲート駆動回路の、上記２辺以外の辺および入力端子を介して最大限に入力信号の入力を受けることができる。
【０２００】
すなわち、駆動モジュールは、入力端子を介して、ゲート駆動回路およびソース駆動回路に、最大限に入力信号の入力を受けることができる。
【０２０１】
また、本発明の一態様に係る表示装置は、入力信号の入力を受ける入力端子と、ゲート信号を出力するゲート出力端子と、ソース信号を出力するソース出力端子とを備えている駆動モジュールであって、上記入力端子を介して入力された入力信号から上記ソース信号を生成するソース駆動回路を備えており、方形状であり、上記ゲート出力端子および上記ソース出力端子は、１辺側にのみ形成されており、上記ソース駆動回路は、上記ゲート信号を伝送する回路内配線を含んでいる駆動モジュールと、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている表示パネルとを備えている。
【０２０２】
上記構成によれば、ソース駆動回路は、回路内配線によりゲート信号を伝送することができる。また、ソース駆動回路は、ソース信号を生成することができる。
【０２０３】
よって、表示パネルは、その１辺側のみから各制御端子を介してゲート信号およびソース信号を取得可能となり、各信号による表示制御を受けることができる。また、このようなゲート信号およびソース信号は、マトリクス型の液晶表示パネルの表示制御に好適である。
【０２０４】
すなわち、マトリクス型の液晶表示パネルの１辺側のみからゲート信号およびソース信号を入力して表示制御可能な表示装置を提供することができる。
【０２０５】
また、本発明の一態様に係る駆動モジュールは、入力信号の入力を受ける入力端子と、ゲート信号を出力するゲート出力端子と、ソース信号を出力するソース出力端子とを備えている駆動モジュールであって、上記入力端子を介して入力された入力信号から上記ソース信号を生成するソース駆動回路とを備えており、上記ゲート出力端子および上記ソース出力端子は、１辺側にのみ形成されており、上記ソース駆動回路は、上記ゲート信号を伝送する回路内配線を含んでいる。
【０２０６】
上記構成によれば、ソース駆動回路は、回路内配線によりゲート信号を伝送することができる。また、ソース駆動回路は、ソース信号を生成することができる。
【０２０７】
よって、駆動モジュールは、例えば表示パネルの１辺側のみから制御端子などを介してゲート信号およびソース信号を供給可能となり、各信号により表示パネルを表示制御することができる。また、このようなゲート信号およびソース信号は、マトリクス型の液晶表示パネルの表示制御に好適である。
【０２０８】
すなわち、マトリクス型の液晶表示パネルの１辺側のみからゲート信号およびソース信号を入力する表示制御に好適な駆動モジュールを提供することができる。
【０２０９】
また、本発明の一態様に係る駆動モジュールは、上記入力端子を介して入力された入力信号から上記ゲート信号を生成するゲート駆動回路をさらに備えていても良い。
【０２１０】
上記構成によれば、ソース駆動回路の回路内配線は、ゲート駆動回路からゲート信号を取得することができる。
【０２１１】
また、本発明の一態様に係る駆動モジュールでは、上記ゲート駆動回路は、方形状であり、当該ゲート駆動回路の互いに対向する１組の２辺において、上記入力端子と接続されており、当該ゲート駆動回路の他の１辺であって、上記ゲート出力端子および上記ソース出力端子が形成されている上記辺の側に位置する辺において、上記回路内配線と接続されており、上記ソース駆動回路は、当該ゲート駆動回路を通過する配線であって、上記１組の２辺の間に位置する配線を介して、上記入力端子と接続されていても良い。
【０２１２】
上記構成によれば、ゲート駆動回路は、当該ゲート駆動回路の２辺を利用し、入力端子を介して最大限に入力信号の入力を受けることができる。
【０２１３】
また、ソース駆動回路は、ゲート駆動回路の、上記２辺以外の辺および入力端子を介して最大限に入力信号の入力を受けることができる。
【０２１４】
すなわち、駆動モジュールは、入力端子を介して、ゲート駆動回路およびソース駆動回路に、最大限に入力信号の入力を受けることができる。
【０２１５】
また、本発明の一態様に係る駆動モジュールでは、上記ソース駆動回路は、方形状であり、当該ソース駆動回路の３辺において、上記ソース出力端子と接続されており、上記回路内配線は、上記３辺において、上記ゲート出力端子と接続されており、上記ゲート駆動回路は、当該回路内配線と接続されていても良い。
【０２１６】
上記構成によれば、駆動モジュールは、ソース駆動回路の３辺（入力辺以外）を使って、最大限にファンアウトすることができる。
【０２１７】
また、本発明の一態様に係る表示装置は、入力信号の入力を受ける入力端子と、ゲート信号を出力するゲート出力端子と、ソース信号を出力するソース出力端子とを備えている駆動モジュールであって、上記入力端子を介して入力された入力信号から、上記ゲート信号および上記ソース信号を生成する駆動回路を備えており、上記ゲート出力端子および上記ソース出力端子は、１辺側にのみ形成されている駆動モジュールと、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている表示パネルとを備えている。
【０２１８】
上記構成によれば、表示パネルは、その１辺側のみから各制御端子を介してゲート信号およびソース信号を取得可能となり、各信号による表示制御を受けることができる。また、このようなゲート信号およびソース信号は、マトリクス型の液晶表示パネルの表示制御に好適である。
【０２１９】
すなわち、マトリクス型の液晶表示パネルの１辺側のみからゲート信号およびソース信号を入力して表示制御可能な表示装置を提供することができる。
【０２２０】
また、ゲート信号およびソース信号を、別々の駆動回路により生成する構成と比較して、駆動回路の個数を減らすことができるため、表示装置を小型化かつ低コスト化できる。これにより、マトリクス型の液晶表示パネルの１辺側のみからゲート信号およびソース信号を入力して表示制御可能、小型、かつ低コストな表示装置を提供することができる。
【０２２１】
また、本発明の一態様に係る表示装置は、複数の、上記駆動モジュールと、上記ゲート出力端子と接続されており上記ゲート信号の入力を受けるゲート制御端子と、上記ソース出力端子と接続されており上記ソース信号の入力を受けるソース制御端子とを備えており、方形状であり、上記ゲート制御端子および上記ソース制御端子は、１辺側にのみ形成されている表示パネルとを備えている。
【０２２２】
上記構成によれば、表示装置は、複数の駆動モジュールを備えていることにより、単数の駆動モジュールでは全面を表示制御できないような大型の表示パネルに対しても、全面を表示制御することができる。
【０２２３】
すなわち、マトリクス型の大型液晶表示パネルの１辺側のみからゲート信号およびソース信号を入力する表示制御に好適な表示装置を提供することができる。
【０２２４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２５】
本発明は、マトリックス型の表示装置に広く利用することができる。
【符号の説明】
【０２２６】
１  表示装置
１１  表示パネル
１２  駆動モジュール
１２ａ  駆動モジュール
１２ｂ  駆動モジュール
１２ｃ  駆動モジュール
１２ｄ  駆動モジュール
１２ｅ  駆動モジュール
１２ｆ  駆動モジュール
１２Ａ  駆動モジュール
１２Ｂ  駆動モジュール
１００  マルチディスプレイ装置
ＧＤ  ゲートドライバ（ゲート駆動回路）
Ｌｂ  ゲート制御分岐線
Ｌｇ  ゲート制御線
Ｌｓ  ソース制御線
ＳＤ  ソースドライバ（ソース駆動回路）
Ｔｇ  ゲート制御端子
Ｔｓ  ソース制御端子
【図１】
0005940679.tif 000002
【図２】
0005940679.tif 000003
【図３】
0005940679.tif 000004
【図４】
0005940679.tif 000005
【図５】
0005940679.tif 000006
【図６】
0005940679.tif 000007
【図７】
0005940679.tif 000008
【図８】
0005940679.tif 000009
【図９】
0005940679.tif 000010
【図１０】
0005940679.tif 000011
【図１１】
0005940679.tif 000012
【図１２】
0005940679.tif 000013
【図１３】
0005940679.tif 000014
【図１４】
0005940679.tif 000015
【図１５】
0005940679.tif 000016
【図１６】
0005940679.tif 000017
【図１７】
0005940679.tif 000018
【図１８】
0005940679.tif 000019
【図１９】
0005940679.tif 000020
【図２０】
0005940679.tif 000021
【図２１】
0005940679.tif 000022
【図２２】
0005940679.tif 000023
【図２３】
0005940679.tif 000024
【図２４】
0005940679.tif 000025
【図２５】
0005940679.tif 000026
【図２６】
0005940679.tif 000027